(57)【特許請求の範囲】
【請求項１】
着用具４で身体に装着される装置本体１と、
この装置本体１に回転可能に取付けられて空気室７を形成するカバー体２と、
前記装置本体１に、その空気室７内に収容されるように取付けた薬剤保持体３を有し、
前記カバー体２の空気流通部２ａを通して前記空気室７内に外気が流通可能で、かつ前記空気室７内の空気が撹拌されることで前記薬剤保持体３の薬剤含浸体３ａに空気が触れると共に、揮散した薬剤が大気に拡散するように構成し、
前記カバー体２は、前記装置本体１が動作することで回転し、かつ回転することで空気室７内の空気を撹拌する撹拌手段２ｂを有し、
前記装置本体１とカバー体２に取付けられ、当該カバー体２の回転によって反発力が生じ、そのカバー体２が反対方向に回転して回転を助長する第1の磁石５と第２の磁石6を備えていることを特徴とする着用型薬剤拡散装置。
【請求項２】
装置本体１を着用具４に、カバー体２の回転方向に揺動可能に連結した請求項１記載の着用型薬剤拡散装置。
【請求項３】
装置本体１は薬剤取付部を有し、その薬剤取付部に薬剤保持体３を正面側より着脱自在に取付け、
前記装置本体１にカバー体２を着脱自在に取付けた請求項１又は２記載の着用型薬剤拡散装置。
【請求項４】
装置本体１の正面側にカバー体２を回転可能に取付け、この装置本体１の背面側から薬剤保持体３を着脱自在に取付けできるようにした請求項１又は２記載の着用型薬剤拡散装置。
【請求項５】
装置本体１は、カバー体取付部１５と薬剤挿入口１６及び、背面側から着脱自在に取付けられて薬剤挿入口１６を閉塞して空気室７を形成する薬剤取付体１７を有し、
この薬剤取付体１７に薬剤保持体３を着脱自在に取付けると共に、前記カバー体取付部１５にカバー体２を回転可能に取付けた請求項４記載の着用型薬剤拡散装置。
【請求項６】
カバー体２は、表面板２０を有する筒形状で、その表面板２０を回転軸２２で装置本体１に回転自在に支持し、
前記装置本体１に、前記カバー体２の外周面２ｄをガードするカバー体ガード１８を設けた請求項１から５いずれか１項記載の着用型薬剤拡散装置。
【発明の詳細な説明】
【技術分野】
【０００１】
本発明は、人間、家畜やペット等の動物などの身体に着用して、殺虫剤、忌避剤、芳香剤、消臭剤、除菌剤などの揮散性の薬剤を身体の周囲に拡散し、人間などの身体の周りに寄る害虫を避けたり、香りでリラックスしたりする着用型薬剤拡散装置に関する。
【背景技術】
【０００２】
特許文献１に着用型の薬剤拡散装置が開示されている。
この装置は、本体内にモータでファンを回転する送風機と薬剤保持体と電池を設けて送風機を駆動することで吸込口から放出口に空気が流通し、その放出口から放出される空気とともに薬剤保持体の薬剤が大気に拡散される装置本体と、この装置本体に取付けた着用バンドを備え、その着用バンドによって装置本体を人体、動物の体などの身体に着用できる。
【０００３】
【特許文献１】特開２００４−２４１６１号公報
【発明の開示】
【発明が解決しようとする課題】
【０００４】
前述した従来の装置は、モータでファンを回転する送風機と、そのモータ用の電源となる電池を備えているので、そのモータ、電池のために重量が重く、装置本体が大きいから、身体に着用して使用する装置としては好ましくはない。
【０００５】
また、電源として電池が使用され、電池は寿命がくると交換しなければならず、その交換作業の面倒さ、また費用もかかり経済的でない。また、寿命がきた電池はゴミとして廃棄処理問題がある。さらに電池は有害ゴミとなり環境問題を発生させる。
【０００６】
前述のことを解決するには、送風機を使用せずに薬剤保持体から薬剤を自然揮散させ、モータ、電池を必要としないようにすれば良い。
しかし、前述のように薬剤保持体から薬剤を自然揮散するだけでは、その薬剤の揮散量が少なく、実用的ではない。
【０００７】
そこで、前述の従来の装置において、モータ、電池を使用せずに、ファンを回転自在とし、身体の動きで装置本体を動作、例えば振るなどしてファンを回転させることが考えられるが、このようにしてファンを回転させるのでは、振る方向やタイミング等によって回転が弱いか、回転しないことがあり、ファンの回転の確実性に欠け、多くの薬剤を揮散できないことがある。
【０００８】
本発明の目的は、モータ、電池を使用せずに多くの薬剤を確実に揮散することができる着用型薬剤拡散装置を提供することである。
【課題を解決するための手段】
【０００９】
第１の発明は、着用具４で身体に装着される装置本体１と、
この装置本体１に回転可能に取付けられて空気室７を形成するカバー体２と、
前記装置本体１に、その空気室７内に収容されるように取付けた薬剤保持体３を有し、
前記カバー体２の空気流通部２ａを通して前記空気室７内に外気が流通可能で、かつ前記空気室７内の空気が撹拌されることで前記薬剤保持体３の薬剤含浸体３ａに空気が触れると共に、揮散した薬剤が大気に拡散するように構成し、
前記カバー体２は、前記装置本体１が動作することで回転し、かつ回転することで空気室７内の空気を撹拌する撹拌手段２ｂを有し、
前記装置本体１とカバー体２に取付けられ、当該カバー体２の回転によって反発力が生じ、そのカバー体２が反対方向に回転して回転を助長する第1の磁石５と第２の磁石6を備えていることを特徴とする着用型薬剤拡散装置である。
【００１０】
第２の発明は、第１の発明において、装置本体１を着用具４に、カバー体２の回転方向に揺動可能に連結した着用型薬剤拡散装置である。
【００１１】
第３の発明は、第１又は第２の発明において、装置本体１は薬剤取付部を有し、その薬剤取付部に薬剤保持体３を正面側より着脱自在に取付け、
前記装置本体１にカバー体２を着脱自在に取付けた着用型薬剤拡散装置である。
【００１２】
第４の発明は、第１又は第２の発明において、装置本体１の正面側にカバー体２を回転可能に取付け、この装置本体１の背面側から薬剤保持体３を着脱自在に取付けできるようにした着用型薬剤拡散装置である。
【００１３】
第５の発明は、第４の発明において、装置本体１は、カバー体取付部１５と薬剤挿入口１６及び、背面側から着脱自在に取付けられて薬剤挿入口１６を閉塞して空気室７を形成する薬剤取付体１７を有し、
この薬剤取付体１７に薬剤保持体３を着脱自在に取付けると共に、前記カバー体取付部１５にカバー体２を回転可能に取付けた着用型薬剤拡散装置である。
【００１４】
第６の発明は、第１〜第５いずれか１つの発明において、カバー体２は、表面板２０を有する筒形状で、その表面板２０を回転軸２２で装置本体１に回転自在に支持し、
前記装置本体１に、前記カバー体２の外周面２ｄをガードするカバー体ガード１８を設けた着用型薬剤拡散装置である。
【発明の効果】
【００１５】
請求項１に係る発明によれば、身体を動かすことで装置本体１が動作し、それによってカバー体２が回転することで薬剤保持体３の薬剤含浸体３ａから薬剤が揮散し、大気に拡散する。
しかも、カバー体２が一方向に回転すると第１の磁石５が第２の磁石６に接近して反発力が生じ、その反発力によってカバー体２が他方向に回転し、再び第１の磁石５が第２の磁石６に接近して反発力が生じてカバー体２が一方向に回転する。
この動作を複数回繰り返すことで、カバー体２は複数回往復回転する。
さらに、空気室７にはカバー体２の空気流通部２ａを通して外気が流通すると共に、薬剤保持体３は装置本体１に設けてあるから、薬剤保持体３が邪魔にならずに空気室７内に外気がスムーズに流通する。
【００１６】
このように装置本体１の動作によるカバー体２の回転を、第１の磁石５と第２の磁石６とで複数回の往復回転に助長すると共に、空気室７に外気がスムーズに流通するので、モータ、電池を使用せずに薬剤含浸体３ａから多くの薬剤を確実に揮散して大気に拡散できる。
【００１７】
また、カバー体２を回転して空気室７内の空気を撹拌するようにしたので、ファンなどが不要で、部品点数が少なく軽量にできると共に、コンパクトにでき、身体に着用して使用するものとして好ましい。
【００１８】
請求項２に係る発明によれば、身体が動くことで装置本体１は着用具４に対してカバー体２の回転方向に揺動するから、身体が動くだけでカバー体２が必ず回転し、身体に着用して使用する薬剤拡散装置として好適である。
【００１９】
請求項３に係る発明によれば、装置本体１からカバー体２を取り外すことで、装置本体１から薬剤保持体３を取り外し、取付けでき、その薬剤保持体３の交換が容易である。
【００２０】
請求項４に係る発明によれば、装置本体１の背面側から薬剤保持体３を取付け、取り外しできるので、薬剤保持体３を容易に交換することができる。
【００２１】
請求項５に係る発明によれば、装置本体１の背面側から薬剤取付体１７を取付け、取り外しできるし、その薬剤取付体１７に薬剤保持体３を取付け、取り外しできるから、薬剤保持体３を容易に交換することができる。
【００２２】
請求項６に係る発明によれば、カバー体２は回転軸２２を中心として回転すると共に、そのカバー体２の外周面２ｄが物に当ることをカバー体ガード１８で防止できるから、カバー体２がスムーズに確実に回転する。
【発明を実施するための最良の形態】
【００２３】
本発明の第１の実施の形態を図１〜図３に基づいて説明する。
装置本体１と、この装置本体１に回転可能に設けたカバー体２と、装置本体１に取付けられ、前記カバー体２で覆われた薬剤保持体３と、前記装置本体１に取付けた着用具４と、前記装置本体１と前記カバー体２とに取付けられて当該カバー体２の回転を助長する第１の磁石５、第２の磁石６を備えて着用型薬剤拡散装置としてある。
【００２４】
前記装置本体１は着用具４で人間、動物などの身体に着用される。例えば、人間の腰に吊り下げて着用される。
前記装置本体１とカバー体２で空気室７を形成し、前記薬剤保持体３は空気室７内に収容されるように装置本体１に取付けられると共に、その空気室７はカバー体２の空気流通部２ａを通して外気が流通可能としてある。
前記カバー体２は装置本体１を動作することで回転し、そのカバー体２が回転することで空気室７内の空気を撹拌すると共に、カバー体２の空気流通部２ａを通して外気が流通するようにしてある。
前記薬剤保持体３は、薬剤有効成分を主成分とする薬剤（薬剤組成物）を含浸した薬剤含浸体３ａを有し、その薬剤含浸体３ａに空気が触れることで前記薬剤が揮散する。
前記薬剤保持体３は、装置本体１に、前記空気室７内に収容され、その空気室７内の空気が撹拌されることで、その薬剤含浸体３ａに空気が触れると共に、揮散した薬剤が大気に拡散するように、着脱自在に取付けてある。
【００２５】
前記第１の磁石５はカバー体２に取付けてある。前記第２の磁石６は装置本体１に取付けてあり、そのカバー２が一方向に回転すると第１の磁石５が第２の磁石６に接近して反発力が生じるようにしてある。つまり、第１の磁石５と第２の磁石６の同極が対向することで反発力が生じる。
この反発力によってカバー体２が他方向に回転し、再び第１の磁石５が第２の磁石６に接近して反発力が生じてカバー体２が一方向に回転する。
この動作を複数回繰り返しすることで、カバー体２は複数回往復回転する。
【００２６】
このように、カバー体２が回転することで、空気室７内の空気が撹拌され、薬剤保持体３の薬剤含浸体３ａに対して空気が相対的に流動することになるので、多くの薬剤が揮散する。その揮散した薬剤はカバー体２の空気流通部２ａから大気に拡散する。
しかも、第１の磁石５と第２の磁石６とでカバー体２の回転が助長されて複数回往復回転するので、装置本体１を僅かに動作することでカバー体２が確実に回転する。
したがって、モータ、電池を用いずに薬剤保持体３の薬剤含浸体３ａから多くの薬剤を確実に揮散することができ、その揮散した薬剤を確実に大気に揮散できる。
【００２７】
さらに、着用具４を備えた装置本体１にカバー体２を回転可能に取付けて空気室７を形成し、その空気室７に薬剤保持体３が収容されるようにしたので、ファンなどが不要で部品点数が少なく軽量にできると共に、装置本体１とカバー体２との間の寸法を小さくしてコンパクトにでき、身体に着用して使用する薬剤拡散装置として好ましい。
【００２８】
次に、各部の好ましい形態を説明する。
前記装置本体１に着用具４が取付けてある。
前記着用具４は、フック４ａである。
そして、人間の腰に装着したベルトや、衣服のポケットにフック４ａを引っ掛けて装置本体１を腰に吊り下げて使用する。
前記着用具４は、バンド、紐や鎖などでも良く、ベルト等に吊り下げたり腰や首など身体の一部に巻き付け吊り下げて使用することができる。
【００２９】
この実施の形態では、前記着用具４をフック４ａとすると共に、この着用具４に装置本体１をカバー体２の回転方向に沿って揺動自在に吊り下げ連結する。例えば、ピン８で揺動自在（首振り自在）に連結する。
【００３０】
このようにすることで、着用具４を人間の腰のベルトに引っ掛けて吊り下げるようにして着用することで、人間が歩行などすることによって着用具４に対して装置本体１が揺動するので、カバー体２が回転する。
したがって、カバー体２が確実に連続して回転するので、より多くの薬剤を揮散することができる。
【００３１】
前記カバー体２は装置本体１の正面側に着脱自在に取付けてあると共に、そのカバー体２を取り外すことで装置本体１から薬剤保持体３を取り外し、取付け可能である。
これによって、薬剤保持体３を交換できる。
例えば、前記装置本体１はプレート１０と、そのプレート１０の中央部に設けた中央突部１１と、この中央突部１１の周囲に設けたリング状突部１２を有し、その中央突部１１とリング状突部１２とで正面側（カバー体２側）に開口した環状凹部１３を有し、その環状凹部１３に薬剤保持体３が正面側から着脱自在に取付けてある。つまり、環状凹部１３が薬剤取付部である。
【００３２】
前記カバー体２は、表面板２０と、その表面板２０の外周縁に設けた筒体２１を有して表面板２０を有した筒形状で、その表面板２０の中央に回転軸２２が取付けてある。
この回転軸２２を、装置本体１の中央突部１１に形成した孔１４に回転可能で、かつ着脱自在に挿入して支持することで、カバー体２を装置本体１の正面側に回転かつ着脱自在に取付ける。
前記筒体２１は装置本体１のリング状突部１２の外周側に回転可能に隙間を有して嵌まり合っている。
【００３３】
このようであるから、カバー体２を装置本体１から取り外した状態で、装置本体１の環状凹部１３（薬剤取付部）から薬剤保持体３を取り外し、取付けできるので、薬剤保持体３を交換できる。
【００３４】
前記カバー体２は、空気室７内に外気が流通する空気流通部２ａを有すると共に、回転することで空気室７内の空気を撹拌する撹拌手段２ｂを有している。
例えば、表面板２０に複数の開口部２３が形成されていると共に、筒体２１と表面板２０の外周寄りに亘ってスリット状の開口部２４が複数形成され、この開口部２３，２４で空気流通部２ａとしてある。
前記表面板２０の内面(空気室７側の面)における開口部２３部分には羽根片２５が設けてあり、羽根片２５で空気室７内の空気を撹拌するようにして前述の撹拌手段２ｂとしてある（図３参照）。
【００３５】
前記第１の磁石５はカバー体２の筒体２１の内周面に、前記装置本体１のリング状突部１２と対向して固着してある。
前記第２の磁石６は装置本体１のリング状突部１２にカバー体２の筒体２１と対向して固着してある。
この第１の磁石５と第２の磁石６は前記カバー体２の回転中心（回転軸２２）を中心とする同一の円形軌跡上に位置し、カバー体２が図１で一方向（矢印ａ）に回転すると第１の磁石５が第２の磁石６に接近して反発力が生じ、その反発力でカバー体２が他方向（矢印ｂ）に回転する。
【００３６】
各部材は、前述のものに限ることはなく、種々の異なるものとすることができる。
前記着用具４に装置本体１をボルト等で固着しても良いし、着用具４と装置本体１を一体としても良い。
【００３７】
また、薬剤は有効成分の他に、溶剤、揮散調整剤、分解防止剤などからなる液製剤である。
本発明の着用型薬剤拡散装置は、薬剤（有効成分）の拡散状況が着用者の動作状態及び使用の環境によって左右され不規則である。このことから、薬剤含浸体３ａは有効成分の有無（効力の有無）を目視で確認できる製剤が好ましい。
製剤としては、薬剤として終点表示機能剤を添加した組成物とし、色変化などを目視する。
また、それ自体が表示機能を有する素材を用いることもできる。
製剤種として液剤に限定されず、ゲル化剤によるゲル製剤、昇華剤などからなる固体製剤などとして用いることもできる。製剤自体が減少、又は消滅し、目視で確認できる製剤が好ましい。
また、液剤と含浸物質を組み合わせ、液の減少を目視確認するようにしても良い。
また、薬剤(有効成分)の有無(効力の有無)を外部から目視で確認できるようにしても良い。例えば、前述の確認手段を有する薬剤保持体３をカバー体２の空気流通部２ａから目視できるようにすることが可能であるが、装置本体１を、例えば透視可能な素材を使用する、又は目視穴を設け確認するようにしても良い。
【００３８】
前記第１の磁石５、第２の磁石６は空気室７内に位置するように取付けてあるが、これに限ることはなく、装置本体１とカバー体２の任意の位置に取付けることができる。
例えば、カバー体２の筒体２１の先端面２１ａ又は外周面に第１の磁石５を取付け、装置本体１のプレート１０におけるリング状突部１２よりも外周寄りに第２の磁石６を、第１の磁石５と対向して取付ける。
【００３９】
前記第１・第２の磁石５，６の取付け個数は、特に限定されない。
通常、カバー体２が回転する往復距離（円周の長さ）が長くなるほど空気が撹拌されて多くの薬剤が揮散することから、磁石の取付け個数は各々１つが好ましい。また動作状態によるが、回転する往復距離が長くなると回転途中で反転することもあり、この場合、各々２つ取付ける、又は一方を１つ、他方を２つ取付けるようにしても良い。このことから回転する往復距離（カバー体２の外径寸法）に応じて取付け個数を決めることが望ましい。
【００４０】
前記カバー体２の撹拌手段２ｂは、表面板２０の内面に複数の羽根片２５を設けた形状としてあるが、その羽根片２５は筒体２１の内周面に設けても良いし、表面板２０の内面と筒体２１の内周面にそれぞれ設けても良い。
この羽根片２５の枚数は限定されない。また、羽根片２５の形状は自由であり、垂直形状、斜めに傾いた形状や湾曲した形状とすることもできる。
【００４１】
前記撹拌手段２ｂは通常のファン形状とすることもできる。
例えば、回転体の外周面にプロペラを放射状に複数設けたプロペラファン、シロッコファンをカバー体２に取付けて撹拌手段２ｂとすることもできる。
【００４２】
前記薬剤含浸体３ａは、薬剤有効成分を主成分とする薬剤（薬剤組成物）を含浸した不織布などの通気性のシートとしてある。
この実施の形態では、薬剤含浸体３ａのみで板状の薬剤保持体３とし、装置本体１の環状凹部１３より成る薬剤取付部に着脱自在に嵌め込んであるが、これに限ることはない。
例えば、前記薬剤保持体３は、図４に示すように、通気用開口３０を有したリング状の容器３１に薬剤含浸体３ａを入れ、通気用開口３２を有した押えプレート３３を容器３１に嵌合したものでも良い。また、容器３１を有底容器として、薬剤をゲル化したゲル製剤を収容した薬剤保持体であっても良い。
この薬剤保持体３は、その容器３１を装置本体１の環状凹部１３である薬剤取付部内に正面側より嵌め込んで取付ける。
【００４３】
次に、本発明の第２の実施の形態を図５、図６に基づいて説明する。
この実施の形態は、カバー体２の撹拌手段２ｂをプロペラファンとしたことが第１の実施の形態と相違し、他の構成は同様である。
回転体２６の外周面にプロペラ２７を放射状に複数設けてプロペラファン２８とし、その回転体２６の孔２６ａを表面板２０の中央突起２０ａに嵌合して固定することでカバー体２に取付け、その各プロペラ２７を各開口部２３と対向させることで撹拌手段２ｂとしてある。
【００４４】
このようにすれば、カバー体２が回転することでプロペラファン２８が回転し、空気室７内の空気を撹拌すると共に、空気室７の内・外に向かう空気の流れが生じるので、薬剤保持体３に多量の空気が触れる。
したがって、薬剤保持体３の薬剤含浸体３ａからより多くの薬剤が確実に揮散し、その揮散した薬剤は大気に確実に拡散する。
【００４５】
次に、本発明の第３の実施の形態を図７〜図９に基づいて説明する。
この実施の形態は、薬剤保持体３を装置本体１の背面側から取付けるようにしたことが前述の第２の実施の形態と相違し、他の構成は第２の実施の形態と同様である。
【００４６】
前記装置本体１に、カバー体取付部１５を残して複数の薬剤挿入口１６を形成し、その各薬剤挿入口１６に亘って薬剤取付体１７を嵌合して取付けて装置本体１としてあると共に、カバー体２とで空気室７を形成する。
この薬剤取付体１７は、前記カバー体取付部１５に嵌まり合う凹陥部１７ａと、この凹陥部１７ａを境として複数の閉塞部１７ｂを有し、装置本体１の背面側から取付けることで複数の薬剤挿入口１６を閉塞できるようにしてある。
前記薬剤取付体１７の各閉塞部１７ｂに薬剤含浸体３ａをそれぞれ着脱自在に設ける。例えば、各閉塞部１７ｂに凹部１７ｃを形成し、その凹部１７ｃ内に薬剤含浸体３ａを設ける。
前記カバー体取付部１５に、カバー体２の回転軸２２を回転自在に支持し、カバー体２を装置本体１に取付けてある。
【００４７】
このようであるから、装置本体１の背面側から薬剤取付体１７を取付け、取り外しでき、カバー体２を装置本体１から取り外しせずに薬剤保持体３を交換できる。
【００４８】
前記カバー体取付部１５を直線状とし、薬剤挿入口１６を２つとしてあるが、カバー体取付部１５を３股形状として薬剤挿入口１６を３つとしても良い。この場合には薬剤取付体１７の凹陥部１７ａを３股形状として閉塞部１７ｂを３つ有する形状とする。
【００４９】
次に、本発明の第４の実施の形態を図１０に基づいて説明する。
この実施の形態は、着用具４を身体に巻きつけて着用するものとしたことが第１の実施の形態と相違し、他の構成は第１の実施の形態と同様である。
【００５０】
前記着用具４は、身体に巻きつけて着用するものとしてある。
例えば、装置本体１に一側バンド４０と他側バンド４１を一体的に設け、その一側バンド４０と他側バンド４１に相互に係着、離脱する雄テープ片４２、雌テープ片４３を取付ける。
そして、一側バンド４０と他側バンド４１を身体（腕など）に巻きつけて雄テープ片４２と雌テープ片４３を係着することで取付する。
前記一側バンド４０、他側バンド４１は装置本体１に一体的に設けてあるが、別体としてピン等を利用して回動自在に連結するようにしても良い。
また、雄テープ片４２、雌テープ片４３の代わりにバックルタイプとしても良い。
【００５１】
次に、本発明の第５の実施の形態を図１１、図１２に基づいて説明する。
この実施の形態は、装置本体１にカバー体ガードを設けたことが第１の実施の形態と相違し、他の構成は第１の実施の形態と同様である。
前記装置本体１のプレート１０における正面側にカバー体ガード１８を正面側に向けて突出して設ける。
このカバー体ガード１８はカバー体２の外周面２ｄ（筒体２１の外周面）、好ましくは外周面２ｄの装置本体１寄り部分よりも外周寄りに位置し、そのカバー体２の外周面２ｄにおける装置本体１寄り部分をガードし、その部分に物が触れないようにしてある。
【００５２】
このようであるから、身体に着用して使用する際に、カバー体２の外周面２ｄの装置本体１寄り部分が衣服などの物に触れることをカバー体ガード１８で防止されるので、カバー体２の回転を阻害することがない。
【００５３】
前記カバー体ガード１８はリング形状で、その内周面１８ａとカバー体２の外周面２ｄにおける装置本体１寄り部分との間に環状隙間１９を形成している。
なお、カバー体ガード１８はリング形状に限ることはなく、複数の円弧片を円弧軌跡に沿って設け、隣接した円弧片が周方向に離隔しているようにしても良い。
【００５４】
前述の各実施の形態のカバー体２の形状、薬剤保持体３の取付け方、着用具４の形状は、図示の組み合わせに限ることはなく、任意に組み合わせることができる。
例えば、第１の実施の形態のカバー体２の撹拌手段２ｂをプロペラファン形状とする。
また、第１の実施の形態の着用具４を、バンドタイプとする。
【００５５】
前述の各実施の形態において、カバー体２をさらに効率良く回転させるために、ベアリングを介在させて回転軸２２を孔１４に支持するようにしても良い。
また、薬剤保持体３、装置本体１、カバー体２の形状について円形に限定されない。また、薬剤保持体３とカバー体２の形状を同形状でなく異形状にしても良い。異形状にすることで空気の撹拌を高めることもできる。
【図面の簡単な説明】
【００５６】
【図１】本発明の第１の実施の形態を示す全体正面図である。
【図２】図１のＡ−Ａ断面図である。
【図３】カバー体の背面図である。
【図４】薬剤保持体の他の形状を示す断面図である。
【図５】本発明の第２の実施の形態を示す全体正面図である。
【図６】図５のＢ−Ｂ断面図である。
【図７】本発明の第３の実施の形態を示す断面図である。
【図８】装置本体の背面図である。
【図９】薬剤保持体の正面図である。
【図１０】本発明の第４の実施の形態を示す全体正面図である。
【図１１】本発明の第５の実施の形態を示す全体正面図である。
【図１２】図１１のＣ−Ｃ拡大断面図である。
【符号の説明】
【００５７】
１…装置本体、２…カバー体、２ａ…空気流通部、２ｂ…撹拌手段、２ｄ…外周面、３…薬剤保持体、３ａ…薬剤含浸体、４…着用具、５…第１の磁石、６…第２の磁石、７…空気室、１５…カバー体取付部、１６…薬剤挿入口、１７…薬剤取付体、１７ａ…凹陥部、１７ｂ…閉塞部、１８…カバー体ガード、２０…表面板、２１…筒体、２２…回転軸、３１…容器、３３…押えプレート、４０…一側バンド、４１…他側バンド。
【図１】
0004968838.tif 000002
【図２】
0004968838.tif 000003
【図３】
0004968838.tif 000004
【図４】
0004968838.tif 000005
【図５】
0004968838.tif 000006
【図６】
0004968838.tif 000007
【図７】
0004968838.tif 000008
【図８】
0004968838.tif 000009
【図９】
0004968838.tif 000010
【図１０】
0004968838.tif 000011
【図１１】
0004968838.tif 000012
【図１２】
0004968838.tif 000013